(57)【要約】【課題】誤操作防止用の保護カバーの取り外し作業が容易な電子機器を提供する。【解決手段】電子機器１０は、筐体１１と、保護カバー１２とを備える。筐体１１のフロントパネル１１Ａには、パワースイッチ１３、凸部２１が設けられている。凸部２１は、係止孔２３を有する。保護カバー１２は、カバー本体２５と、一対の被係止片２６と、爪部とを有し、爪部が係止孔２３に係止されることにより凸部２１に保持される。一対の被係止片２６のハンドル部を押圧することで腕部が撓み、爪部と係止孔２３との係止が解除される。【選択図】図２
2020092194.tif 000002
【特許請求の範囲】
【請求項１】
筐体に設けられたスイッチと、
前記筐体から突出し、前記スイッチの周囲に配された凸部と、
前記筐体と対面する部分が一段凹んでいる凹部を有し、前記凸部に前記凹部を嵌合させて前記スイッチを保護するカバー本体、カバー本体と一体に設けられた一対の被係止片、及び前記被係止片から前記凹部の内側に突出する爪部を有し、前記凹部を前記凸部に嵌合させた場合、前記爪部が前記凸部に形成された係止部に係止されることにより前記凸部に保持される保護カバーとを備え、
前記一対の被係止片は、
前記爪部を有する挟持部と、
前記カバー本体と前記挟持部との間を連結し、前記凹部が前記凸部と嵌合する第１の方向に沿って延設された腕部と、
前記腕部と平行、且つ前記挟持部から前記第１の方向とは反対の第２の方向に延設されたハンドル部とから構成され、
前記ハンドル部を前記凸部に近接させる第３の方向に押圧することにより前記腕部を撓ませて前記爪部と前記係止部との係止が解除される電子機器。
【請求項２】
前記一対の被係止片は、前記カバー本体との連結部分から前記挟持部との間に切り欠きを有しており、前記腕部は、前記切り欠きにより分離されている複数の腕部からなる請求項１記載の電子機器。
【請求項３】
前記ハンドル部を前記第３の方向に押圧することにより前記腕部と前記カバー本体との連結部分を支点にして前記腕部を撓ませた場合、前記爪部と前記係止部との係止が解除される請求項１または２項記載の電子機器。
【請求項４】
前記ハンドル部は、前記爪部よりも前記カバー本体との連結部分に近い位置で前記凸部と接触する接触片を一体に設けており、
前記ハンドル部を前記第３の方向に押圧することにより前記接触片を支点にして前記腕部を撓ませた場合、前記爪部と前記係止部との係止が解除される請求項１ないし３のいずれか１項記載の電子機器。
【請求項５】
前記ハンドル部は、前記凸部と対面する位置に、前記挟持部から延設され、前記凸部に向かって突出する補強リブを有し、
前記補強リブは、前記凸部と接触する前記接触片である請求項４記載の電子機器。
【請求項６】
前記ハンドル部は、前記第３の方向とは反対の第４の方向に突出する鍔部を有する請求項１ない５のいずれか１項に記載の電子機器。
【発明の詳細な説明】
【技術分野】
【０００１】
本発明は、電子機器に関するものである。
【背景技術】
【０００２】
電子機器では、電源スイッチなどの操作スイッチに対して、誤操作を防止するための保護カバーを備えたものが知れられている（下記特許文献１および特許文献２参照）。保護カバーを備えた電子機器としては、例えば、放送用や音響用の電気設備を構成する電子機器であり、長時間の稼働中に電源スイッチを誤ってオフ状態にしないように保護カバーが装着される。
【０００３】
このような電子機器では、スイッチが設けられた筐体側に係止部を、保護カバーに爪部を形成しており、スイッチの周囲に保護カバーを嵌合させるとともに、係止部が爪部を係止することにより保護カバーが筐体側に保持される。これにより、保護カバーを嵌合方向とは反対方向に引っ張っても係止部が爪部を係止するため、保護カバーが筐体から離脱し難い構造になっている。
【先行技術文献】
【特許文献】
【０００４】
【特許文献１】実開昭６０−１０３８７６号公報
【特許文献２】実開平１−１７２２２６号公報
【発明の概要】
【発明が解決しようとする課題】
【０００５】
上述したような放送用や音響用の電気設備では、放送や通信を停止する場合、あるいは電子機器のメンテナンスや機器構成の変更を行う場合等、電源スイッチをオフ状態にするために保護カバーを取り外す必要が出てくる。しかしながら、上記特許文献１、２記載の電子機器では、保護カバーを嵌合方向と反対方向に引っ張ることにより強引に保護カバーを弾性変形させなければ、係止部による爪部の係止を解除することができない。このため、保護カバーを筐体から取り外すことが困難であり、取り外し作業に手間が掛かる。また、取り外し作業を行う場合、保護カバーの爪部と筐体の係止部とが接触して擦れたり、引っ掛かったりするため、爪部や係止部が摩耗してしまう。これにより、筐体への保護カバーの取り付けが困難になることもある。
【０００６】
本発明は、誤操作防止用の保護カバーの取り外し作業が容易な電子機器を提供することを目的とする。
【課題を解決するための手段】
【０００７】
上記目的を達成するために、本発明の電子機器は、スイッチと、凸部と、保護カバーとを備え、ハンドル部を凸部に近接させる第３の方向に押圧することにより、腕部を撓ませて爪部と係止部との係止が解除される。スイッチは、筐体に設けられている。凸部は、筐体から突出し、スイッチの周囲に配されている。保護カバーは、筐体と対面する部分が一段凹んでいる凹部を有し、凸部に凹部を嵌合させてスイッチを保護するカバー本体、カバー本体と一体に設けられた一対の被係止片、及び被係止片から凹部の内側に突出する爪部を有し、凹部を凸部に嵌合させた場合、爪部が凸部に形成された係止部に係止されることにより凸部に保持される。一対の被係止片は、爪部を有する挟持部と、カバー本体と挟持部との間を連結し、凹部が凸部と嵌合する第１の方向に沿って延設された腕部と、腕部と平行、且つ挟持部から第１の方向とは反対の第２の方向に延設されたハンドル部とから構成される。
【０００８】
一対の被係止片は、カバー本体との連結部分から挟持部との間に切り欠きを有しており、腕部は、切り欠きにより分離されている。
【０００９】
ハンドル部を第３の方向に押圧することにより腕部とカバー本体との連結部分を支点にして腕部を撓ませた場合、爪部と係止部との係止が解除されることが好ましい。
【００１０】
ハンドル部は、爪部よりもカバー本体との連結部分に近い位置で凸部と接触する接触片を一体に設けており、第３の方向に押圧することにより接触片を支点にして腕部を撓ませた場合、爪部と係止部との係止が解除されることが好ましい。
【００１１】
ハンドル部は、凸部と対面する位置に、挟持部から延設され、凸部に向かって突出する補強リブを有し、補強リブは、凸部と接触する接触片であることが好ましい。
【００１２】
ハンドル部は、第３の方向とは反対の第４の方向に突出する鍔部を有することが好ましい。
【発明の効果】
【００１３】
本発明によれば、誤操作防止用の保護カバーの取り外し作業が容易な電子機器を提供することができる。
【図面の簡単な説明】
【００１４】
【図１】本発明の電子機器の外観斜視図である。
【図２】保護カバーを筐体から取り外した状態の斜視図である。
【図３】保護カバーを筐体に取り付けた状態の斜視図である。
【図４】保護カバーの正面側斜視図である。
【図５】保護カバーの背面側斜視図である。
【図６】保護カバーを筐体に取り付ける際の取り付け作業を説明する説明図である。
【図７】被係止片及び係止孔周辺の要部断面図である。
【図８】保護カバーの一部を切り欠いた斜視図である。
【図９】保護カバーを筐体から取り外す際の取り外し作業を説明する説明図である。
【図１０】保護カバーを筐体から取り外す際の被係止片及び係止孔周辺の要部断面図である。
【図１１】第２実施形態における保護カバーの背面側斜視図である。
【図１２】第２実施形態の保護カバーの一部を切り欠いた斜視図である。
【図１３】第２実施形態における保護カバーを筐体から取り外す際の被係止片及び係止孔周辺の要部断面図である。
【発明を実施するための形態】
【００１５】
[第１実施形態]
図１に示す電子機器１０は、例えば、放送用や音響用の電気設備を構成する電子機器である。より具体的には、電子機器１０は、例えば、パワーディストリビュータといわれる電源制御装置である。
【００１６】
［電子機器の概略構成］
電子機器１０は、筐体１１と、保護カバー１２とを備える。筐体１１のフロントパネル１１Ａには、パワースイッチ１３、ＬＥＤ群１４、ブレーカースイッチ１５、切替スイッチ１６、及び電源コンセント１７が設けられている。また、筐体１１のリアパネル１１Ｂには、例えば、電源プラグ（図示せず）及び６つの電源コンセント（図示せず）が設けられている。電子機器１０は、電源プラグに外部交流電源が接続された場合、外部交流電源からの交流電力を、電源コンセントに接続された各音響機器にそれぞれ分配供給する。
【００１７】
電源コンセント１７は、遅延時間が設定されない電源コンセントであり、常に電力が分配供給される。他方、リアパネルの電源コンセントは、遅延時間が設定される電源コンセントであり、電子機器１０のパワースイッチ１３がオンされると、それぞれ設定された遅延時間に基づいて電力が分配される。
【００１８】
パワースイッチ１３は、電子機器１０の電源スイッチであり、操作者はこのパワースイッチ１３をオン／オフすることで、リアパネルの電源コンセントに接続される各音響機器に対して遅延時間に基づいて電力を分配供給する。このパワースイッチ１３は、後述するように、保護カバー１２を筐体１１に取り付けることにより保護カバー１２で覆われる。これにより、パワースイッチ１３の誤操作を防止することができる。
【００１９】
ＬＥＤ群１４は、電源コンセントの電源投入状態を報知するＬＥＤである。筐体１１の内部には、過負荷時に電流を遮断するブレーカーが設けられている。ブレーカースイッチ１５は、ブレーカーが作動して電子機器１０が電流を遮断する際、オンからオフに切り替わる。電子機器１０のブレーカーが作動した場合、ブレーカースイッチ１５をオフからオンに手動操作すると電力の供給が可能となる。切替スイッチ１６は、遅延時間の設定を、例えば３パターンの中から１つのパターンを選択的に切り替える手動操作可能なスイッチである。なお、電子機器１０には、保護カバー１２の他に、ブレーカースイッチ１５、切替スイッチ１６、及び電源コンセント１７などを覆うカバー（図示せず）も備えており、切替スイッチ１６などの誤操作を防止することができる。
【００２０】
電子機器１０は、例えばラックといわれる棚状の収容ケースに収納される。電子機器１０には、取付片１８が設けられている。取付片１８には、貫通穴１８ａが形成されている。電子機器１０をラックに収容する場合には、取付ネジ（図示せず）を貫通穴１８ａに挿入してラックのネジ穴に締結する。
【００２１】
なお、電子機器１０としてはパワーディストリビュータに限らず、音声を再生するプレーヤ、音声を録音するレコーダ、アンプなどに適用してもよい。電気設備は、こうした各種の電子機器１０が組み合わされて構成される。
【００２２】
［電源スイッチの概略構成］
図２に示すように、パワースイッチ１３は、例えば、シーソースイッチであり、オン／オフ状態を切り替える際に押圧されるスイッチ操作面１３Ａが筐体１１のフロントパネル１１Ａから突出した位置に配置されているパワースイッチ１３は、マーク１３Ｂが付された一端部付近、またはマーク１３Ｃが付された他端部付近を押圧操作することにより、電源のオン／オフ状態を切り替えることができる。図２に示すようにマーク１３Ｂが付された一端部付近がフロントパネル１１Ａ側に近接した状態にあるときは電源がオン状態である。一方、マーク１３Ｃが付された他端部付近がフロントパネル１１Ａ側に近接した状態にあるときは電源がオフ状態である。
【００２３】
［凸部の構成］
筐体１１には、パワースイッチ１３の周囲に配され、フロントパネル１１Ａから突出する凸部２１が一体に設けられている。凸部２１は、パワースイッチ１３を筐体１１に取り付けるための取り付け枠２２と一体に設けられている。凸部２１は、パワースイッチ１３の左右両側部及び下部を囲むコ字状に形成されている。凸部２１の両側面には、後述する保護カバー１２の爪部２７を係止する係止孔２３を有する。なお、以下では、凸部２１において、フロントパネル１１Ａから突出している方の一端を先端とし、フロントパネル１１Ａと接する方の一端を基端と称する。係止孔２３は、凸部２１の基端から凸部２１の突出方向に沿って形成されている。
【００２４】
凸部２１の上部からは、スイッチ操作面１３Ａのマーク１３Ｂが付された一端部付近と、取り付け枠２２が突出している。凸部２１は、先端面２１Ａから上部に向かって切り欠かれた曲面２４が、スイッチ操作面１３Ａを構成する曲面と同じ曲率で形成されている。パワースイッチ１３をオン状態にした場合、曲面２４とスイッチ操作面１３Ａとが面一の状態であり、凸部２１を側面から視た場合、パワースイッチ１３の上端部を除く部分が凸部２１の内部に収まる状態となる。
【００２５】
［保護カバーの構成］
図３に示すように、保護カバー１２は、凸部２１に取り付けられ、パワースイッチ１３を覆い隠す。なお、図面の煩雑化を防ぐため、図示していないが、保護カバー１２は、例えば透明な樹脂から成形されており、凸部２１に取り付けられた際、内部のパワースイッチ１３を視認可能としている。
【００２６】
図４及び図５に示すように、保護カバー１２は、カバー本体２５と、カバー本体２５と一体に設けられた一対の被係止片２６と、被係止片２６から内側に突出する爪部２７とを有する。
【００２７】
カバー本体２５は、凸部２１と、凸部２１から突出するパワースイッチ１３の一部を覆う箱状に形成されている。具体的には、カバー本体２５は、凸部２１及びパワースイッチ１３の前面側を覆い隠す前板２５Ａと、前板２５Ａの左右両側に位置する側板２５Ｂ，２５Ｃ，上板２５Ｄ、底板２５Ｅを有する。上板２５Ｄの一部は、凸部２１からパワースイッチ１３の一部が突出するため、段差形状２５Ｆを有する。なお、以下では、保護カバー１２における前板２５Ａ側の端面を前面または前端、前板２５Ａとは反対側の筐体１１と対面する側の端面を背面又は後端という場合がある。
【００２８】
カバー本体２５の背面側は、側板２５Ｂ，２５Ｃ，上板２５Ｄ、及び底板２５Ｅで囲まれた凹部２８を有する。凹部２８は、フロントパネル１１Ａと対面する後端２５Ｇに対して一段凹んでいる。凹部２８は、凸部２１と緩く嵌合するように形成されている。これにより、カバー本体２５は、凸部２１に凹部２８を嵌合させた場合、パワースイッチ１３を覆い隠して保護する。
【００２９】
一対の被係止片２６は、カバー本体２５の前板２５Ａの両側と連続して設けられている。一対の被係止片２６は、挟持部２９と、カバー本体２５と挟持部２９との間を連結している２つの腕部３１と、ハンドル部３２とをそれぞれ有する。２つの腕部３１は、凹部２８と凸部２１が嵌合する方向である第１の方向Ｄ１に沿って延設されている。２つの腕部３１は、スリット２５Ｈにより側板２５Ｂ，２５Ｃと分離して設けられている。
【００３０】
一対の被係止片２６は、前板２５Ａから挟持部２９までの間に切り欠き３３を有しており、２つの腕部３１は、切り欠き３３により互いに分離されている。すなわち、２つの腕部３１は、スリット２５Ｈと切欠き３３の間に位置するため、第１の方向Ｄ１と直交する幅方向の寸法が小さく形成されている。これにより、腕部３１は、押圧を受けた場合、容易に弾性変形可能となっている。
【００３１】
挟持部２９は、２つの腕部３１を介して前板２５Ａと連結されており、２つの爪部２７が一体に形成されている。挟持部２９は、凸部２１に凹部２８を嵌合させた場合、凸部２１の側面と接触する位置に配されている。２つの爪部２７は、凹部２８の内側に突出し、凸部２１の係止孔２３に位置を合わせて一定の間隔を置いて配されている。２つの爪部２７は、第１の方向Ｄ１における先端側が挟持部２９に向かって傾斜する傾斜面２７Ａ（図６及び図７参照）を有する。
【００３２】
図６（Ａ）に示すように、保護カバー１２を凸部２１に取り付ける際に、凸部２１に凹部２８を嵌合させた場合、先ず、爪部２７の傾斜面２７Ａが凸部２１の側面に当接する。図６（Ｂ）に示すように、保護カバー１２を筐体１１側に押圧すると凸部２１の側面から爪部２７を介して押圧を受けた腕部３１が外側に弾性変形する。さらに、保護カバー１２を筐体１１側に押し込むと、爪部２７が凸部２１の側面を乗り越えて係止孔２３に進入する。これにより、図６（Ｃ）に示すように、凸部２１に凹部２８が嵌合し、且つ爪部２７が係止孔２３の端縁２３Ａ（図７参照）に係止されることにより凸部２１に保護カバー１２が保持される。なお、端縁２３Ａは、特許請求の範囲における係止部に相当するものであり、係止孔２３における先端面２１Ａ寄りの端縁である。
【００３３】
図７及び図８に示すように、挟持部２９は、腕部３１と連続して延設されている第１の部分２９Ａと、腕部３１と直交する第２の部分２９ＢとからなるＬ字断面形状に形成されている。第２の部分２９Ｂは、腕部３１よりも外側に突出している。
【００３４】
ハンドル部３２は、腕部３１と平行に、且つ第２の部分２９Ｂから第２の方向Ｄ２に延設されている。第２の方向Ｄ２は第１の方向Ｄ１とは反対の方向である。第２の部分２９Ｂは、腕部３１よりも外側に突出しているため、第２の部分２９Ｂに連続するハンドル部３２は、腕部３１よりも外側に位置する。後述するように、爪部２７と係止孔２３との係止を解除する際、ハンドル部３２は、凸部２１に近接させる第３の方向Ｄ３に押圧される。なお、ハンドル部３２は、第３の方向Ｄ３に押圧を受けたとき、切り欠き３３の内部に進入する位置に配されている。
【００３５】
また、ハンドル部３２は、第３の方向Ｄ３と反対の第４の方向Ｄ４に突出する鍔部３２Ａを有する。鍔部３２Ａは、ハンドル部３２の前端に位置する。具体的には、第１及び第２の方向Ｄ１、Ｄ２においてカバー本体２５の前板２５Ａと同じ位置に配されている。また、ハンドル部３２は、凸部２１と対面する位置に設けられた補強リブ３４を有する。補強リブ３４は、ハンドル部３２と挟持部２９との間に位置し、凸部２１に向かって突出する。
【００３６】
図９（Ａ）及び図１０（Ａ）に示すように、保護カバー１２を凸部２１から取り外す場合、先ず、操作者がハンドル部３２を第３の方向Ｄ３に押圧する。ハンドル部３２は、挟持部２９が爪部２７を介して凸部２１と接触しているため、第３の方向Ｄ３に押圧を受けた場合、挟持部２９とは反対側の前端が自由端となっており、ハンドル部３２の前端が第３の方向Ｄ３に押し込まれる。なお、ハンドル部３２には鍔部３２Ａが設けられているため、ハンドル部３２の前端がさらに押圧を受けやすくなっている。また、鍔部３２Ａは、操作者がハンドル部３２の前端を第３の方向Ｄ３に押し込んだ後、ハンドル部３２を第２の方向Ｄ２に引き上げやすくするために設けられており、操作者の指が鍔部３２Ａに引っ掛かるように引き上げることで、保護カバー１２を凸部２１から取り外しやすくなっている。
【００３７】
図９（Ｂ）及び図１０（Ｂ）に示すように、ハンドル部３２を第３の方向Ｄ３に押圧することにより、挟持部２９を介して腕部３１が力を受け、腕部３１が弾性変形する。符号Ｐ（図１０（Ｂ）参照）は、前板２５Ａと腕部３１との連結部分であり、腕部３１は、連結部分Ｐが固定端となっており、連結部分Ｐの反対側、すなわち、挟持部２９が位置する後端側が自由端となっている。これにより、ハンドル部３２からの押圧力を受けた腕部３１は、連結部分Ｐを支点として後端が第４の方向Ｄ４に移動する撓みが発生する。このようにして、腕部３１を撓ませた場合、爪部２７と係止孔２３との係止が解除される。なお、この場合、保護カバー１２の左右両側における爪部２７と係止孔２３との係止を同時に解除するため、一対の被係止片２６におけるハンドル部３２を左右から同時に押圧することが好ましい。
【００３８】
図９（Ｃ）及び図１０（Ｃ）に示すように、爪部２７と係止孔２３との係止が解除された保護カバー１２は、第１及び第２の方向Ｄ１，Ｄ２における規制がなくなり、凸部２１から取り外すことができる。
【００３９】
以上のように、一対の被係止片２６のハンドル部３２を押圧するだけで係止を解除し、凸部２１から保護カバー１２を容易に取り外すことができる。これにより、放送用や音響用の電気設備の稼働中は、パワースイッチ１３を保護カバー１２が保護して誤操作を防ぐとともに、メンテナンスなどの際、パワースイッチ１３を操作する必要がある際は、保護カバー１２の取り外し作業を簡単に行うことができる。また、爪部２７と係止孔２３との係止を解除してから保護カバー１２の取り外しを行うことができるため、爪部２７や係止孔２３の摩耗を防ぐことが可能であり、筐体１１に対する保護カバー１２の保持力を長期間保つことができる。
【００４０】
[第２実施形態]
上記第１実施形態においては、カバー本体と腕部との連結部分を支点として腕部を撓ませた場合、爪部と係止部との係止が解除される構成としているが、これに限らず、爪部よりもカバー本体との連結部分に近い位置で凸部と接触する接触片を保護カバーに設け、この接触片を支点にして腕部を撓ませた場合、爪部と係止部との係止が解除される構成にしてもよい。なお、電子機器の筐体、パワースイッチ、凸部の構成については、上記第１実施形態と同様であり、以下では、同符号を付して説明を省略する。
【００４１】
図１１及び図１２に示す保護カバー５０では、補強リブ５１を有する。なお、補強リブ５１以外の構成は、上記第１実施形態の保護カバー１２と同様である。補強リブ５１は、上記第１実施形態における補強リブ３４と同様にハンドル部３２に設けられている。補強リブ５１は、凸部２１と対面し、挟持部２９からハンドル部３２に延設されている。さらに本実施形態の補強リブ５１では、凸部２１に向かって突出する山型に形成され、頂点５１Ａ（図１３参照）が凸部２１と接触する。この補強リブ５１が特許請求の範囲における接触片を構成している。なお、これに限らず、補強リブ５１とは別に凸部２１と接触する接触片を一対の被係止片２６に設けてもよい。また、接触片の形状は山型に限らず、どのような形状でもよい。
【００４２】
頂点５１Ａは、爪部２７よりもカバー本体２５との連結部分に近い位置で凸部２１と接触する。また、補強リブ５１は、１つの被係止片２６において、所定の間隔を置いて２つ設けられている。
【００４３】
図１３（Ａ）に示すように、保護カバー５０を凸部２１から取り外す場合、先ず、操作者がハンドル部３２を第３の方向Ｄ３に押圧する。ハンドル部３２は、補強リブ５１の頂点５１Ａが凸部２１と接触しているため、第３の方向Ｄ３に押圧を受けた場合、頂点５１Ａよりも前側に位置するハンドル部３２の前端が第３の方向Ｄ３に押し込まれる。
【００４４】
図１３（Ｂ）に示すように、ハンドル部３２を第３の方向Ｄ３に押圧することにより、補強リブ５１を介して腕部３１が力を受け、腕部３１が弾性変形する。これにより、ハンドル部３２からの押圧力を受けた腕部３１は、頂点５１Ａを支点として後端が第４の方向Ｄ４に移動する撓みが発生する。このようにして、腕部３１を撓ませた場合、爪部２７と係止孔２３との係止が解除される。なお、この場合、保護カバー５０の左右両側における爪部２７と係止孔２３との係止を同時に解除するため、一対の被係止片２６におけるハンドル部３２を左右から同時に押圧することが好ましい。
【００４５】
図１３（Ｃ）に示すように、爪部２７と係止孔２３との係止が解除された保護カバー５０は、第１及び第２の方向Ｄ１，Ｄ２における規制がなくなり、凸部２１から取り外すことができる。
【００４６】
以上のように、一対の被係止片２６のハンドル部３２を押圧するだけで係止を解除し、上記第１実施形態と同様に、凸部２１から保護カバー５０を容易に取り外すことができる。また、上記第１実施形態と同様に、爪部２７と係止孔２３との係止を解除してから保護カバー１２の取り外しを行うことができるため、爪部２７や係止孔２３の摩耗を防ぐことが可能であり、筐体１１に対する保護カバー５０の保持力を長期間保つことができる。
【００４７】
なお、上記各実施形態では、筐体に設けられたスイッチとして、シーソースイッチ型の電源スイッチを例に上げて説明しているが、これに限らず、電子機器を作動させるために操作するスイッチであればよく、シーソースイッチ型以外の押しボタン型のスイッチなどでもよい。
【００４８】
本発明は、上記各実施形態に限定されるものではなく、例えば、変形例や上記各実施形態の組み合わせなど、本発明の趣旨を逸脱しない範囲で適宜変更が可能である。
【符号の説明】
【００４９】
１０  電子機器
１１  筐体
１１Ａ  フロントパネル
１１Ｂ  リアパネル
１２  保護カバー
１３  パワースイッチ
１３Ａ  スイッチ操作面
１３Ｂ  マーク
１３Ｃ  マーク
１４  ＬＥＤ群
１５  ブレーカースイッチ
１６  切替スイッチ
１７  電源コンセント
１８  取付片
１８ａ  貫通穴
２１  凸部
２１Ａ  先端面
２２  取り付け枠
２３  係止孔
２３Ａ  端縁
２４  曲面
２５  カバー本体
２５Ａ  前板
２５Ｂ  側板
２５Ｃ  側板
２５Ｄ  上板
２５Ｅ  底板
２５Ｆ  段差形状
２５Ｇ  後端
２５Ｈ  スリット
２６  被係止片
２７  爪部
２７Ａ  傾斜面
２８  凹部
２９  挟持部
２９Ａ  第１の部分
２９Ｂ  第２の部分
３１  腕部
３２  ハンドル部
３２Ａ  鍔部
３４  補強リブ
５０  保護カバー
５１  補強リブ
５１Ａ  頂点
Ｄ１  第１の方向
Ｄ２  第２の方向
Ｄ３  第３の方向
Ｄ４  第４の方向
Ｐ  連結部分
【図１】
2020092194.tif 000003
【図２】
2020092194.tif 000004
【図３】
2020092194.tif 000005
【図４】
2020092194.tif 000006
【図５】
2020092194.tif 000007
【図６】
2020092194.tif 000008
【図７】
2020092194.tif 000009
【図８】
2020092194.tif 000010
【図９】
2020092194.tif 000011
【図１０】
2020092194.tif 000012
【図１１】
2020092194.tif 000013
【図１２】
2020092194.tif 000014
【図１３】
2020092194.tif 000015